(57)【要約】【課題】使い勝手がよく、コンパクトな加湿文具の提供を目的とする。【解決手段】保水体支持部１から保水性能に優れた材料により矩形平板状に形成される保水体部２を片持梁状に突出させた本体部３と、  保水体支持部１に着脱自在に連結され、連結状態において前記保水体部２を覆うキャップ部４とを有し、  前記保水体部２上に載せた加湿対象を濡らす。【選択図】  図１
2019104118.tif 000002
【特許請求の範囲】
【請求項１】
保水体支持部から保水性能に優れた材料により矩形平板状に形成される保水体部を片持梁状に突出させた本体部と、
保水体支持部に着脱自在に連結され、連結状態において前記保水体部を覆うキャップ部とを有し、
前記保水体部上に載せた加湿対象を濡らす加湿文具。
【請求項２】
前記保水体部の先端上面が、該保水体部の板厚近傍値以上の直径の曲率面により形成される請求項１記載の加湿文具。
【請求項３】
前記キャップ部の内壁面にはレール状突条が突設される請求項１または２記載の加湿文具。
【発明の詳細な説明】
【技術分野】
【０００１】
本発明は、切手等の裏面、あるいは封筒のフラップに形成された再湿糊面を水で濡らす際に使用できる加湿文具に関するものである。
【背景技術】
【０００２】
切手、印紙等の裏面に形成された再湿糊面を濡らすための加湿文具としては、特許文献１に記載のものが知られている。
【０００３】
この従来例において、加湿文具は、高吸水性の樹脂粉末により形成される吸収材を網袋等の保持部材に封入した加湿部を保持容器内に収容して形成される。
【先行技術文献】
【特許文献】
【０００４】
【特許文献１】特開平７-８９２９４号公報
【発明の概要】
【発明が解決しようとする課題】
【０００５】
しかし、上述した従来例において、加湿部は保持容器の周壁に囲まれた状態となっており、加湿部の面積を十分に大きくしようとすると全体の容積が大きくなり、全体の容積を小さくしようとすると、周囲を保持容器の周壁に囲まれた加湿部上に切手等の全体を置くことが困難になり、使い勝手が低下するという問題が発生する。
【０００６】
本発明は、以上の欠点を解消すべくなされたものであって、使い勝手がよく、コンパクトな加湿文具の提供を目的とする。
【課題を解決するための手段】
【０００７】
本発明によれば上記目的は、
保水体支持部１から保水性能に優れた材料により矩形平板状に形成される保水体部２を片持梁状に突出させた本体部３と、
保水体支持部１に着脱自在に連結され、連結状態において前記保水体部２を覆うキャップ部４とを有し、
前記保水体部２上に載せた加湿対象を濡らす加湿文具を提供することにより達成される。
【０００８】
本発明において、文具は保水体支持部１から保水体部２を突設させた本体部３と、本体部３に連結された保水体部２を覆うキャップ部４とを有して構成され。
【０００９】
保水体部２は水で濡らせた状態とされており、不使用時には保水体部２の保水性能と、キャップ部４により乾燥が防がれる。
【００１０】
使用はキャップ部４を取り除いた状態で切手、あるいはシール等の貼付体の裏面に形成された再湿糊面を保水体部２に載せた後、貼付体を剥がすようにして取り外すと、再湿糊面に適度の水分を与えることができる。また、貼付体として封筒のフラップである場合には、再湿糊面を保水体部２上に貼り付け、あるいはスライドさせることにより適度に濡らすことができる。
【００１１】
保水体部２を矩形平板状に形成して支持ブロックから片持梁状に突設される構成を取る本発明において、矩形形状に形成される切手、印紙等を保水体部２上に載せる際の効率が良好になり、さらに、保水体部２の周囲に保水容器の周壁等が存在しないために、保水体部２の周縁を含んだ全面を利用することができるために、全体の大きさを小さくすることができる。
【００１２】
また、上記目的を達成するための本発明の他の態様として、
前記保水体部２の先端上面が、該保水体部２の板厚近傍値以上の直径の曲率面５により形成される加湿文具を構成することができる。
【００１３】
本発明において、保水体部２の先端は比較的大きな曲率面５とされているために、切手等を曲率面５に一側縁がかかるように載せると、切手等の剛性により曲率面５上の一側縁には剥離方向の力が発生するために、保水体部２からの取り外しが容易になる。
【００１４】
さらに、上記目的を達成するための本発明の他の態様として、
前記キャップ部４の内壁面にはレール状突条６が突設される加湿文具を構成することができる。
【００１５】
本発明において、キャップ部４には保水体部２の先端をキャップ部４材に呑み込ませると、該保水体部２は一端が保水体支持部１に、他端がキャップ部４材のレール状突条６により支持され、中央部が外部に露出した状態となるために、書類等のページめくりをする際に、中央部を指でなぞることにより指先を濡らすことができる。
【発明の効果】
【００１６】
本発明によれば、加湿文具の使い勝手を良好に、かつ、コンパクトにすることができる。
【図面の簡単な説明】
【００１７】
【図１】本発明を示す図で、（ａ）は一部を断面で示す平面図、（ｂ）は（ａ）の１Ａ-１Ａ線断面図である。
【図２】図１（ｂ）の２Ａ-２Ａ線断面図である。
【図３】本体部を示す図で、（ａ）は平面図、（ｂ）は正面図である。
【図４】加湿文具の使用状態を示す図である。
【発明を実施するための形態】
【００１８】
図１以下に示すように、加湿文具は、保水体支持部１から保水体部２を突出させた本体部３と、本体部３に連結されるキャップ部４とを有する。
【００１９】
保水体支持部１は一端が閉塞された断面矩形枠形状の筒体であり、閉塞端には連結部１ａが形成される。本例における連結部１ａはタッピングビスの下穴として形成されており、この下穴にねじ込まれるタッピングビスに一端が適宜箇所に連結される紐等を結んで加湿文具の散逸が防止される。
【００２０】
また、保水体支持部１の開放端には、全周にわたって一般部に比して板厚が薄い嵌合突部１ｂが形成される。
【００２１】
一方、保水体部２は、フェルト、あるいはスポンジ等の吸水性、保水性の優れた材料により矩形断面を有する板状体として形成され、一端部を上記保水体支持部１に嵌合させて固定される。固定状態において保水体部２は保水体支持部１から片持梁状に突出した状態となり、保水体部２の材料が片持梁形状を保持するために柔らかすぎる場合には、保水体部２を、適宜の芯材周りに吸水性材料を巻装して形成することもできる。
【００２２】
また、保水体部２の自由端部の上面には曲率面５が形成される。曲率面５の曲率は、該曲率面５に沿わせて切手、印紙を載せた際に切手等に折り目がつかない程度に設定され、本例においては、保水体部２の厚さ寸法に直径が合致する曲率面５により形成される。
【００２３】
さらに、保水体部２の外部への露出寸法は、概ね１枚の切手を載せることのできる面積となるように決定されており、万国郵便連合（ＵＰＵ）における郵便切手の大きさの取り決めである「原則として縦横の長さが１５ｍｍを下回らず、かつ、５０ｍｍを超えないこと」を条件とすることを参考に、幅（図３におけるW)３０ないし４０ｍｍ程度、長さ（図３におけるＬ)４０ないし５０ｍｍ程度、厚さ１０ないし２０ｍｍ程度に形成される。
【００２４】
キャップ部４は、上記保水体支持部１の嵌合突部１ｂが嵌合可能な一端が閉塞した断面矩形枠形状の筒体であり、外形寸法は、本体部３を連結した状態で連結部位等に段差等が生じることなく、全体として直方体形状となるように設定される。また、キャップ部４の深さ方向寸法は、嵌合突部１ｂに嵌合させて連結した状態で保水体部２の先端が閉塞端内壁に触れない程度に設定される。
【００２５】
さらに、キャップ部４の内壁には、本体部３を挿入方向に沿って配置されるレール状突条６が突設される。レール状突条６は、図１（ｂ）に示すように、本体部３を連結した状態で保水体支持部１の嵌合突部１ｂ先端に干渉することなく接近する位置を始端とし、キャップ部４の閉塞端を終端とする領域に形成される。
【００２６】
このレール状突条６の高さ寸法は、本体部３を挿入した状態で保水体部２の表面に軽く接触する程度に設定されており、先端は半円形断面形状に形成される（図２参照）。
【００２７】
加湿文具の大きさは、保水体部２の大きさにより概ね決定され、本例において、キャップ部４を本体部３に連結した状態で全長が１００ないし１５０ｍｍ程度、幅が４０ないし５０ｍｍ程度、厚さ１５ないし２５ｍｍ程度に形成されるが、携帯性等を考慮してこの値に比して小さく形成することも可能である。
【００２８】
以上の構成の下、本例において、図４（ａ）に示すように、キャップ部４を取り外した状態では保水体部２の先端部は外部に露出しており、予め保水体部２を湿らせておくと、保水体部２上に切手７、印紙等を、図４（ａ）において太線、図３（ａ）において鎖線で示すように一端縁が曲率面５にかかるように載せると保水体部２の水分により切手の再湿糊面全面に均等に水分が供給されて濡らされる。この状態で、切手の剛性により曲率部に乗り上げた端縁部は剥離し、あるいは剥離しやすくなっているために、この端縁部を挟んで持ち上げると、切手を容易に保水体部２から離脱させることができ、封筒等の所定位置に容易に貼り付けることができる。
【００２９】
また、封筒のフラップも同様に、フラップの再湿糊面を保水体部２上に載せることにより再湿糊面を濡らすことができ、さらに、本体部３を持って保水体部２の曲率面５をフラップの再湿糊面に押し付け、あるいはスライドさせることにより濡らすこともできる。
【００３０】
さらに、図４（ｂ）に示すように、保水体部２の前端部にキャップ部４を装着した状態とすると、中間部に保水体部２が露出した状態となり、書類のメージめくり等の際に、この露出部を指先で触れることにより指先を湿らせることができる。
【符号の説明】
【００３１】
１        保水体支持部
２        保水体部
３        本体部
４        キャップ部
５        曲率面
６        レール状突条
【図１】
2019104118.tif 000003
【図２】
2019104118.tif 000004
【図３】
2019104118.tif 000005
【図４】
2019104118.tif 000006